【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
直接リンクセットアップ（ＤＬＳ）を確立する方法において、
第１のＳＴＡが第２のＳＴＡに対する直接通信リンクをセットアップするための直接リンクセットアップ（ＤＬＳ）要求をＡＰに送信するステップであって、該直接リンクセットアップ（ＤＬＳ）要求は前記第１のＳＴＡの高スループット（ＨＴ）性能を示す高スループット（ＨＴ）性能要素を含むステップと、
前記ＡＰが前記直接リンクセットアップ（ＤＬＳ）要求を承諾することを決定したか否かを示す直接リンクセットアップ（ＤＬＳ）応答及び前記第２のＳＴＡの高スループット（ＨＴ）性能のインジケーションを受信して、前記直接リンクセットアップ（ＤＬＳ）要求が受理される場合に直接通信リンクを介して前記第１のＳＴＡ及び前記第２のＳＴＡが互いに直接通信するステップと
を含むことを特徴とする方法。
【請求項２】
前記直接リンクセットアップ（ＤＬＳ）要求を承諾するＡＰの決定は、前記第１のＳＴＡと前記第２のＳＴＡとの間で交換される信号強度に基づくことを特徴とする請求項１に記載の方法。
【請求項３】
前記直接リンクセットアップ（ＤＬＳ）要求を承諾するＡＰの決定は、前記ＡＰの現在の負荷の変動（activity）に基づくことを特徴とする請求項１に記載の方法。
【請求項４】
前記直接リンクセットアップ（ＤＬＳ）要求を承諾するＡＰの決定は、前記第１のＳＴＡ及び前記第２のＳＴＡの性能（capability）に基づくことを特徴とする請求項１に記載の方法。
【請求項５】
前記直接リンクセットアップ（ＤＬＳ）要求を承諾するＡＰの決定は、前記第１のＳＴＡと前記第２のＳＴＡとの間でデータパケットを交換するチャネルの品質に基づくことを特徴とする請求項１に記載の方法。
【請求項６】
前記チャネルの品質は、直接リンクセットアップ（ＤＬＳ）を実施する前に前記第２のＳＴＡとパケットを交換することにより決定されることを特徴とする請求項５に記載の方法。
【請求項７】
前記直接リンクセットアップ（ＤＬＳ）要求を承諾するＡＰの決定は、前記第１のＳＴＡと前記第２のＳＴＡとの間でデータパケットを交換するチャネルの干渉レベルに基づくことを特徴とする請求項１に記載の方法。
【請求項８】
前記直接リンクセットアップ（ＤＬＳ）要求は、レートセット、前記第１のＳＴＡの性能、並びに前記第の１ＳＴＡ及び前記第２のＳＴＡの媒体アクセス制御（ＭＡＣ）アドレスのうち、少なくとも１つを含むことを特徴とする請求項１に記載の方法。
【請求項９】
前記ＡＰは、前記第１のＳＴＡと前記第２のＳＴＡとの間のチャネル条件を測定するために前記ＡＰから測定値要求を送信するステップと、
測定値結果を有する応答を前記ＡＰに送信するステップと
をさらに含むことを特徴とする請求項１に記載の方法。
【請求項１０】
前記直接リンクセットアップ（ＤＬＳ）要求は、前記第１のＳＴＡと前記第２のＳＴＡとの間の最適レート及びチャネル品質情報を含むことを特徴とする請求項１に記載の方法。
【請求項１１】
前記情報は、前記第１のＳＴＡと前記第２のＳＴＡとの間の前回の送信に基づくことを特徴とする請求項１０に記載の方法。
【請求項１２】
前記情報は、前記第２のＳＴＡからの送信を監視することに基づくことを特徴とする請求項１０に記載の方法。
【請求項１３】
前記第１のＳＴＡのそれぞれはタイマーを含み、前記タイマーの満了に応答して直接リンクセットアップ（ＤＬＳ）テアダウンを開始するように設定されることを特徴とする請求項１に記載の方法。
【請求項１４】
前記タイマーは、パケットの受信に応答してリセットされることを特徴とする請求項１３に記載の方法。
【請求項１５】
直接リンクセットアップ（ＤＬＳ）を確立するように設定されたワイヤレスＳＴＡであって、
前記ＳＴＡは、
第２のＳＴＡに対する直接通信リンクをセットアップするための直接リンクセットアップ（ＤＬＳ）要求をＡＰに送信するように設定された送信機であって、該直接リンクセットアップ（ＤＬＳ）要求は第１のＳＴＡの高スループット（ＨＴ）性能を示す高スループット（ＨＴ）性能要素を含む送信機と、
前記ＡＰが前記直接リンクセットアップ（ＤＬＳ）要求を承諾することを決定したか否かを示す直接リンクセットアップ（ＤＬＳ）応答及び前記第２のＳＴＡの高スループット（ＨＴ）性能のインジケーションを受信するように設定された受信機と
を備え、
前記直接リンクセットアップ（ＤＬＳ）応答が、前記ＡＰが前記直接リンクセットアップ（ＤＬＳ）要求を承諾することを決定したことを示す場合に、前記送信機及び前記受信機が前記第２のＳＴＡと通信するようにさらに設定されることを特徴とするＳＴＡ。
【請求項１６】
前記直接リンクセットアップ（ＤＬＳ）要求を承諾するＡＰの決定は、前記第１のＳＴＡと前記第２のＳＴＡとの間で交換される信号強度に基づくことを特徴とする請求項１５に記載のＳＴＡ。
【請求項１７】
前記直接リンクセットアップ（ＤＬＳ）要求を承諾するＡＰの決定は、前記ＡＰの現在の負荷の変動（activity）に基づくことを特徴とする請求項１５に記載のＳＴＡ。
【請求項１８】
前記直接リンクセットアップ（ＤＬＳ）要求を承諾するＡＰの決定は、前記第１のＳＴＡ及び前記第２のＳＴＡの性能（capability）に基づくことを特徴とする請求項１５に記載のＳＴＡ。
【請求項１９】
前記直接リンクセットアップ（ＤＬＳ）要求を承諾するＡＰの決定は、前記第１のＳＴＡと前記第２のＳＴＡとの間でデータパケットを交換するチャネルの品質に基づくことを特徴とする請求項１５に記載のＳＴＡ。
【請求項２０】
前記チャネルの品質は、直接リンクセットアップ（ＤＬＳ）を実施する前に前記第２のＳＴＡとパケットを交換することにより決定されることを特徴とする請求項１９に記載のＳＴＡ。
【請求項２１】
前記直接リンクセットアップ（ＤＬＳ）要求を承諾するＡＰの決定は、前記第１のＳＴＡと前記第２のＳＴＡとの間でデータパケットを交換するチャネルの干渉レベルに基づくことを特徴とする請求項１５に記載のＳＴＡ。
【請求項２２】
前記直接リンクセットアップ（ＤＬＳ）要求は、レートセット、前記第１のＳＴＡの性能、並びに前記第の１ＳＴＡ及び前記第２のＳＴＡの媒体アクセス制御（ＭＡＣ）アドレスのうち、少なくとも１つを含むことを特徴とする請求項１５に記載のＳＴＡ。
【請求項２３】
前記受信機は、前記第１のＳＴＡと前記第２のＳＴＡとの間のチャネル条件を測定するために前記ＡＰから測定値要求を受信するようにさらに設定され、前記送信機は、測定値結果を有する応答を前記ＡＰに送信するようにさらに設定されることを特徴とする請求項１５に記載のＳＴＡ。
【請求項２４】
前記直接リンクセットアップ（ＤＬＳ）要求は、前記第１のＳＴＡと前記第２のＳＴＡとの間の最適レート及びチャネル品質情報を含むことを特徴とする請求項１５に記載のＳＴＡ。
【請求項２５】
前記情報は、前記第１のＳＴＡと前記第２のＳＴＡとの間の前回の送信に基づくことを特徴とする請求項２４に記載のＳＴＡ。
【請求項２６】
前記情報は、前記第２のＳＴＡからの送信を監視することに基づくことを特徴とする請求項２４に記載のＳＴＡ。
【請求項２７】
タイマーの満了に応答して直接リンクセットアップ（ＤＬＳ）テアダウンを開始するように設定されるタイマーをさらに備えたことを特徴とする請求項１５に記載のＳＴＡ。
【請求項２８】
前記タイマーは、パケットの受信に応答してリセットされるように設定されることを特徴とする請求項２７に記載のＳＴＡ。